(57)【要約】【課題】結束作業を効率的に行なうことができる結束具の提供を目的とする。【解決手段】結束具１を、細長い帯状の結束具本体３と、この結束具本体３の長さ方向両端に一体的に形成した引掛け部５と、から形成する。引掛け部５に係合孔７を形成しておく。係合孔７の外周に幅の狭い切断予定部９を設けておく。両方の引掛け部５の係合孔７にハッカーを差し入れて回転させ、結束具１の両端部をねじり合わせる。切断予定部９はハッカーの回転により最初に切断されるように形成しておく。【選択図】図１
2017053197.tif 000002
【特許請求の範囲】
【請求項１】
鉄筋コンクリート構造に用いる鉄筋の結束具であって、
帯状の細長い金属製の結束具本体と、
この結束具本体の長さ方向両端に一体的に形成された引掛け部と、を備え、
前記引掛け部にはハッカーを差し入れる係合孔が形成され、この係合孔の外周には切断予定部が形成されている、ことを特徴とする結束具。
【請求項２】
前記切断予定部は、前記係合孔の外周に形成された幅狭部である、ことを特徴とする請求項１記載の結束具。
【請求項３】
前記幅狭部は、前記引掛け部の中心に対して前記係合孔の中心をずらすことにより形成されている、ことを特徴とする請求項２記載の結束具。
【請求項４】
鉄筋コンクリート構造に用いる鉄筋の結束方法であって、
帯状の細長い金属製の結束具本体と、この結束具本体の長さ方向両端に一体的に形成された引掛け部と、を備え、前記引掛け部にハッカーを差し入れる係合孔が形成された結束具を準備する準備工程と、
準備した前記結束具の結束具本体を鉄筋の交差個所に巻くように配置する配置工程と、
前記鉄筋の交差個所に配置した前記結束具の両方の前記係合孔にハッカーの先端部を差し入れる差し入れ工程と、
前記ハッカーを回転させて前記結束具本体の両端部及び前記引掛け部をねじり合わせるねじり工程と、
前記係合孔の外周が切断されるまで前記ハッカーを回転させる切断工程と、を備えたことを特徴とする結束方法。
【請求項５】
前記切断工程は、前記係合孔の外周に形成された切断予定部を切断するように行われる、ことを特徴とする請求項４記載の結束方法。
【発明の詳細な説明】
【技術分野】
【０００１】
本発明は鉄筋コンクリート構造に用いる鉄筋の結束技術に関する。
【背景技術】
【０００２】
コンクリートは圧縮には強いが引張りには弱いので、コンクリート構造物にはコンクリートの低い引張り強度を補強するために異形棒鋼などの鉄筋が埋め込まれている。鉄筋は、例えば、コンクリートを打設する前にコンクリート打設場所に網目状に配置され、複数の鉄筋の交差個所は結束具で結束されている。
【０００３】
鉄筋を結束する結束具としては、例えば特許文献１に示すように、針金を二つ折り状に曲げて一端部にループを形成した細長いＵ字状のものが使用されている。
【０００４】
図８乃至図１３を参照し、このような結束具を用いて鉄筋の交差個所を結束する結束方法の一例を説明する。
【０００５】
まず、結束具Ａを２本の鉄筋Ｂの交差個所に巻くようにして配置する（図８）。ここでは、結束具Ａを交差個所の下側に配置し、結束具Ａの両端部を上側に位置させている。次に、結束具ＡのループＣにハッカーＤの先端部を浅く差し入れ（図９）、結束具Ａの開放側ＥをハッカーＤの先端部の上側に引っ掛け（図１０）、ループＣ側及び開放側Ｅがねじり合うようにハッカーＤを回転させる(図１１)。結束具Ａが十分ねじり合わされ、鉄筋Ｂの交差個所をきつく締め付けたら、結束具Ａが切断される前にハッカーＤの回転を停止し（図１２）、ハッカーＤの先端部を結束具Ａから外して結束作業を終了する（図１３）。
【先行技術文献】
【特許文献】
【０００６】
【特許文献１】実用新案登録第３０３８３４７号公報
【発明の概要】
【発明が解決しようとする課題】
【０００７】
このような結束作業を経て複数本又は多数本の鉄筋が結束されて組み立てられるが、結束具の開放側とループ側とをねじり合わせるときに開放側が指から外れてしまうと結束作業をはじめからやり直さなければならない。また、ハッカーを回転させて結束具を締め上げるときに、ハッカーの回転の停止が早すぎれば結束具による鉄筋の締め付けが不十分となるし、ハッカーを回転させすぎると結束具のねじり合わせた部分が切断されて結束強度が保てなくなったり結束できなかったりするが、ハッカーの回転を停止するタイミングは把握しにくい。したがって、従来の結束具では結束作業を効率的に行なうことが難しい。
【０００８】
そこで本発明は、結束作業を効率的に行なうことができる結束具及び効率的な結束方法の提供を目的とする。
【課題を解決するための手段】
【０００９】
この目的を達成するための本発明の結束具は、鉄筋コンクリート構造に用いる鉄筋の結束具であって、帯状の細長い（バンド状である）金属製の結束具本体と、この結束具本体の長さ方向両端に一体的に形成された引掛け部（ハッカーの先端部を引掛けるための引掛け部）と、を備え、前記引掛け部にはハッカーを差し入れる係合孔が形成され、この係合孔の外周には切断予定部が形成されているものである。切断予定部は、係合孔の外周に形成された幅狭部とすることができる。また、幅狭部は引掛け部の中心に対して係合孔の中心をずらすことにより形成することができる。引掛け部及び係合孔は円形又はほぼ円形に形成できる。切断予定部は引掛け部の長さ方向外端部又は外端に形成することができる。このように形成すれば、切断は結束具の長さ方向両端で生じるので、切断によりねじり合せた個所の強度が弱まるおそれがない。また、切断予定部は引掛け部の幅方向端部又は幅方向端に形成できる。切断予定部は引掛け部の外周から形成された例えばＶ字状の切込みとすることもできる。切断予定部は、例えば、ねじり作業を行う際に最初に切断される部分である。
【００１０】
また、この目的を達成するための本発明の結束方法は、鉄筋コンクリート構造に用いる鉄筋の結束方法であって、帯状の細長い（バンド状である）金属製の結束具本体と、この結束具本体の長さ方向両端に一体的に形成された引掛け部（ハッカーの先端部を引掛けるための引掛け部）と、を備え、この引掛け部にハッカーを差し入れる係合孔が形成された結束具を準備する準備工程と、準備した結束具の前記結束具本体を鉄筋の交差個所に巻くように配置する配置工程と、前記鉄筋の交差個所に配置した前記結束具の両方の係合孔にハッカーの先端部を差し入れる差し入れ工程と、前記ハッカーを回転させて前記結束具本体の両端部及び前記引掛け部をねじり合わせるねじり工程と、前記係合孔の外周が切断されるまで前記ハッカーを回転させる切断工程と、を備えたものである。係合孔の外周を切断しているのでねじり合わせた部分の強度が小さくなることを抑制できる。切断工程は、例えば、係合孔の外周に形成された切断予定部を切断するように行われる。切断予定部は引掛け部の長さ方向外端部又は外端に形成することができる。
【発明の効果】
【００１１】
本発明によれば簡単かつ効率的に鉄筋を結束できる結束具及び結束方法を提供できる。また、結束具本体は細長い帯状体に形成されているので、結束時にずれにくい。
【図面の簡単な説明】
【００１２】
【図１】本発明に係る結束具を示す正面図である。
【図２】本発明に係る結束具を示す斜視図である。
【図３】結束具を用いて鉄筋を結束する方法を説明する図であり、配置工程を示す図である。
【図４】結束具を用いて鉄筋を結束する方法を説明する図であり、差し入れ工程を示す図である。
【図５】結束具を用いて鉄筋を結束する方法を説明する図であり、ねじり工程を示す図である。
【図６】結束具を用いて鉄筋を結束する方法を説明する図であり、切断工程を示す図である。
【図７】別の構成の切断予定部を示す図である。
【図８】従来の結束具を用いて鉄筋を結束する方法を説明する図であり、結束具の配置状態を示す図である。
【図９】従来の結束具を用いて鉄筋を結束する方法を説明する図であり、結束具のループ内へのハッカーの差し入れ状態を示す図である。
【図１０】従来の結束具を用いて鉄筋を結束する方法を説明する図であり、結束具の開放側をハッカーの先端部に引っ掛ける場合を示す図である。
【図１１】従来の結束具を用いて鉄筋を結束する方法を説明する図であり、ハッカーの回転開始状態を示す図である。
【図１２】従来の結束具を用いて鉄筋を結束する方法を説明する図であり、結束具の締め上げが完了した状態を示す図である。
【図１３】従来の結束具による結束状態を示す図である。
【発明を実施するための形態】
【００１３】
以下、図面を参照して本発明の実施の形態を説明する。
【００１４】
まず、図１及び図２を参照して本発明に係る結束具の構成を説明する。
【００１５】
結束具１は、薄く細長い帯状の又はバンド状の結束具本体３と、この本体３の長さ方向両端に一体的に形成された円形又はほぼ円形の引掛け部５と、を有し、引掛け部５の径は本体３の幅よりも大きく形成されている。ここでは、例えば結束具１の全長を１５０ｍｍ、結束具本体３の幅を５ｍｍ、引掛け部５の外径を６．２ｍｍとすることができる。引掛け部５の中央には係合孔７が開けられている。この係合孔７は、中心Ｏが引掛け部５の中心Ｏ´よりも外側に位置するように形成され、引掛け部５の長さ方向外端部又は外端の幅は狭く形成され（幅狭部）、容易に切断される切断予定部９として形成されている。切断予定部９は、ねじり作業を行う際に最初に切断されるように形成される。結束具１は金属製、より具体的には鉄製とすることができ、例えば、プレス成形により一体的に形成されている。
【００１６】
次に図３乃至図６を参照し、結束具１を用いて鉄筋を結束する場合を説明する。
【００１７】
まず、結束具１の本体３を鉄筋Ｂの交差個所に巻くようにして配置する（図３）。具体的には結束具１を交差個所の下側に配置し、両方の引掛け部３が上側に位置するように結束具１を曲げる。次に結束具１の両方の引掛け部５の係合孔７にハッカーＤ（回転により結束具１をねじり合わせて締め上げるもの）の先端部を差し入れる(図４)。そしてハッカーＤを回転させて本体３の端部及び引掛け部３同士をねじり合せる（図５）。ハッカーＤの回転は両方の引掛け部５の切断予定部９が切断されるまで行なう。そして結束具１からハッカーＤを外して結束作業を終了する（図５）。なお、切断予定部９は、図７（ａ）に示すように、引掛け部５の側方に形成してもよい。また、引掛け部５の外周にＶ字状の切り込み１１を入れることにより切断予定部９を形成してもよい。ここでは係合孔７を引掛け部５と同心状に形成することができる。
【産業上の利用可能性】
【００１８】
本発明の結束具及び結束方法は建設工事で利用することができる。
【符号の説明】
【００１９】
１                            結束具
３                            結束具本体
５                            引掛け部
７                            係合孔
９                            切断予定部
Ｄ                            ハッカー
【図１】
2017053197.tif 000003
【図２】
2017053197.tif 000004
【図３】
2017053197.tif 000005
【図４】
2017053197.tif 000006
【図５】
2017053197.tif 000007
【図６】
2017053197.tif 000008
【図７】
2017053197.tif 000009
【図８】
2017053197.tif 000010
【図９】
2017053197.tif 000011
【図１０】
2017053197.tif 000012
【図１１】
2017053197.tif 000013
【図１２】
2017053197.tif 000014
【図１３】
2017053197.tif 000015